(57)【要約】【課題】本発明は、プラグインコネクタのベース要素（１２）に配置された少なくとも一つのコンタクト要素（１６ａ）を備える、第２固定装置が具備されたプラグインコネクタ（１１ａ）に関する。【解決手段】少なくとも一つの第２固定凹部（２１、２２）がコンタクト要素（１６ａ）に備えられており、第２固定凹部（２１、２２）は差し込み方向（１８）に対して垂直に延在し、第２固定要素（３０）の固定位置で、第２固定要素（３０）の固定部（３１、３２）によって係合される。本発明に係るプラグインコネクタ（１１ａ）は、強力な引抜力の達成を可能にし、特に高電流プラグイン接続装置（１０）での使用に適している。【選択図】図１
2008016439.tif 000002
【特許請求の範囲】
【請求項１】
第２固定装置を備えたプラグインコネクタであって、
プラグインコネクタのベース要素（１２）に配置された少なくとも一つのコンタクト要素（１６ａ）を備え、
前記コンタクト要素（１６ａ）において差し込み方向（１８）に対して垂直に延在し、
第２固定要素（３）の固定位置において、第２固定要素（３０）の固定部（３１、３２）によって係合される少なくとも一つの第２固定凹部（２１、２２）を備えることを特徴とするプラグインコネクタ。  
【請求項２】
第２固定凹部（２１、２２）の数が所定の引抜力に従って規定される請求項１に記載のプラグインコネクタ。
【請求項３】
第２固定凹部（５０）が、固定位置で前記第２固定要素（３０）を受け付けるために前記プラグインコネクタのベース要素（１２）に備えられている請求項１に記載のプラグインコネクタ。
【請求項４】
前記第２固定要素（３０）は、前記第２固定要素（３０）の固定位置で、プラグインコネクタのメインボディ（１２）に備えられた取り付け突出部（９６）を抱持する（embrace）少なくとも一つの取り付けクランプ（９５）を有する請求項１に記載のプラグインコネクタ。
【請求項５】
前記第２固定要素（３０）は、第２固定要素（３０）が固定位置以外に位置する場合、プラグインコネクタ（１１ａ）の差し込みを防止するコーディング面（４０ａ）が前記第２固定要素（３０）の前端部に備えられている請求項１に記載のプラグインコネクタ。
【請求項６】
少なくとも一つのコーディング用リブ（７０）が、第２固定要素（３０）の前方領域において前記差し込み方向（１８）に延在する請求項１に記載のプラグインコネクタ。
【請求項７】
前記差し込み方向（１８）に向かって横に前記第２固定要素（３０）をガイドすることを目的とした少なくとも一つの横ガイド要素（６０、６１）が、前記第２固定要素の少なくとも一方の側に備えられている請求項１に記載のプラグインコネクタ。
【請求項８】
少なくとも一つの横ガイド凹部（８０、８１）が、少なくとも一つの横ガイド要素（６０、６１）を受け付けるために、プラグインコネクタのメインボディ（１２）の少なくとも一方の側に備えられている請求項７に記載のプラグインコネクタ。
【請求項９】
前記プラグインコネクタのベース要素（１２）は少なくとも一つの保持リブ（３３、３４）を含み、
前記第２固定要素（３０）の前記固定部（３１、３２）は２点構造を有し、前記固定部（３１、３２）の前端部に爪部が備えられ、
前記爪部は前記保持リブ（３３、３４）に予め固定され、これにより前記第２固定要素（３０）がプラグインコネクタのベース要素（１２）と緩い状態であるが分離不能に接続されている請求項１に記載のプラグインコネクタ。
【請求項１０】
第１固定装置が備えられ、前記第１固定装置は、プラグインコネクタのメインボディ（１２）に形成された第１固定凹部（１３）内へのばね式係合用にスナップイン式ばね（１７）を備えている請求項1に記載のプラグインコネクタ。
【発明の詳細な説明】
【技術分野】
【０００１】
本発明は、第２固定装置を備えたプラグインコネクタに関する。
【背景技術】
【０００２】
特許文献１には、プラグインコネクタに接続された配線に対して引抜力を増大させる電子プラグインコネクタが記載されている。なお、引抜力は第２固定要素により獲得される。第２固定要素は、プラグインコネクタのベース要素でのコンタクト要素の組付後、差し込み方向に対して垂直に固定位置に押し込まれる。固定位置において、第２固定要素は各コンタクト要素に形成された固定段部の裏側に係合する。
【０００３】
特許文献２には、様々なコンタクトを具備するケーブルハーネスのコネクタ用の第２固定装置が記載されている。第２固定要素は、組付状態でコンタクト要素を抱持する。
【０００４】
特許文献３には、第２固定装置および歪軽減装置を備えたプラグインコネクタが記載されている。当該プラグインコネクタにおいて、コンタクト要素は組付状態でプラグインコネクタのベース要素の第１固定凹部のばねにより保持されている。プラグインコネクタのベース要素においてコンタクト要素の組付後、第２固定要素は差し込み方向に対して垂直にプラグインコネクタのベース要素に向けて押圧される。これにより、第２固定要素は、両側でプラグインコネクタのベース要素を抱持するようになる。第２固定要素の両側に一体形成された固定部は、第２固定要素の幅全体に延在する。第２固定要素の取り付け状態において、２つの固定部のそれぞれは、差し込み接続に対してコンタクト要素の後端部を抱持する。これにより、コンタクト要素がプラグインコネクタのベース要素から意図せず外れることが防止される。
【０００５】
特許文献４には、ラムダセンサとの接続確立に特に適した第２固定装置を備えるプラグインコネクタが記載されている。第２固定要素は、組付状態でプラグインコネクタのベース要素の少なくとも一部を抱持するカバー要素として構成されている。当該カバー要素は、プラグインコネクタのベース要素に取り付けられる少なくとも一つのコンタクト要素を固定する取り付け要素を備える。当該取り付け要素は、組付状態で電子コンタクトを軸方向に抱持する、断面形状がＷ型の２つの脚部を有する。
【０００６】
特許文献５には、プラグインコネクタのベース要素におけるコンタクト要素の組付後、差し込み方向に当初移動される第２固定要素を備えた４極型電子プラグインコネクタが記載されている。第２固定要素はテーパー面に衝突し、差し込み方向に垂直な動きを、差し込み方向への移動に重畳させる。差し込み方向に垂直な動きは、第２固定要素がコンタクト要素の中央領域に形成された拡張部の前端部及び後端部を抱持するまで継続する。
【０００７】
特許文献６には、第１固定装置に加えて第２固定装置を備える多極型電子プラグイン接続装置が記載されている。差し込み方向に対して垂直に第２固定要素を移動させることにより、第２固定動作がプラグインコネクタの組付中に生じる。第２固定要素は、複数の固定部を備えており、各固定部は固定状態でコンタクト要素に一体形成された突起部の裏側に係合する。
【特許文献１】ドイツ特許出願第ＤＥ  １０  ２００５  ０２４  ３３６  Ａ１号
【特許文献２】ドイツ実用新案第ＤＥ  ２０１  １１  ９６４  Ｕ１号
【特許文献３】ドイツ特許第ＤＥ  １００  １５  ８４２  Ｃ１号
【特許文献４】ドイツ実用新案第ＤＥ  ２０１  ０６  ７４９  Ｕ１号
【特許文献５】ドイツ実用新案第ＤＥ  ２９５  １７  １３３  Ｕ１号
【特許文献６】ドイツ特許出願第ＤＥ  １９９  ６１  ５９１  Ａ１号
【発明の開示】
【発明が解決しようとする課題】
【０００８】
本発明の目的は、強力な引抜力を提供する第２固定装置を備えたプラグインコネクタを提供することにある。
【課題を解決するための手段】
【０００９】
なお、本目的は、特許請求の範囲に於ける独立請求項に記載された特徴により達成される。
【００１０】
第２固定装置を有する本発明に係るプラグインコネクタは、プラグインコネクタのベース要素に配置された少なくとも一つのコンタクト要素を備える。当該コンタクト要素において、少なくとも一つの第２固定凹部が備えられ、当該第２固定凹部は差し込み方向に対して垂直に延在し、第２固定要素の固定位置において固定部により係合される。
【００１１】
第２固定要素の固定部により係合されるコンタクト要素の少なくとも一つの凹部によって、相当強力な引抜力または取り外し力が達成される。当該引抜力または取り外し力により、コンタクト要素がプラグインコネクタのベース要素から意図せず外れる、または切り離される等のあらゆるリスクが解消される。
【００１２】
本発明に係るプラグインコネクタは、例えば自動車産業におけるプラグインコネクタに対する安全性への要求を満足させるものである。
【００１３】
本発明に係るプラグインコネクタは、特に引抜力に対する安全性への要求を満足させなければならない高電流プラグインソケット接続の生産に適している。
【００１４】
先行技術における公知の方法と比較した場合、事実上追加費用を全く必要とすることなく、強力な引抜力がこのプラグインコネクタの生産により達成される。これにより、特に本発明に係る一連のプラグインコネクタの生産において、相当の費用節減がもたらされる。
【００１５】
第２固定装置を有する本発明に係るプラグインコネクタに関する有益な他の実施形態は、特許請求の範囲に記載された従属項において定義される。
【００１６】
引抜力は、第２固定要素の固定位置において、第２固定要素に部材を固定することにより係合される凹部の数を変更することで、所定の引抜力要件に適合させることが可能である。例えば、如何なる追加手段を用いることもなく簡単な方法で、１００Ｎの引抜力を達成することが可能である。
【００１７】
一実施形態によれば、第２固定要素の凹部が、固定位置で第２固定要素を受け付けるためのプラグインコネクタのベース要素に備えられる。この特徴により、第２固定要素が固定位置でプラグインコネクタの一体部分となる。
【００１８】
一実施形態によれば、第２固定要素は、第２固定要素の固定位置でプラグインコネクタのメインボディに備えられた取り付け突出部を抱持する少なくとも一つの取り付けクランプを有する。また、当該取り付けクランプをスナップイン式フックとしてもよい。この特徴により、第２固定要素が固定位置に固定される。２つの取り付けクランプが備えられることが好ましく、当該固定クランプの各々は、第２固定要素の固定位置で取り付け突出部を抱持することが好ましい。これにより、第２固定要素は、幅が広い多極型プラグプラグインコネクタ上で特に確実に保持される。
【００１９】
特に有益な実施形態によれば、第２固定要素の前端部にコーディング面が備えられている。これにより、第２固定要素が固定位置以外に位置する場合、プラグインコネクタの差し込みを防止する。この特徴により、本発明に係るプラグインコネクタを用いて達成可能な接続の安全性を高める。本発明に係るプラグインコネクタをこれに対応する第２プラグインコネクタ内に導入することが可能となるのは、固定位置に位置する第２固定要素を用いた場合のみである。
【００２０】
一実施形態によれば、少なくとも一つのコーディング用リブが第２固定要素の前方領域において、差し込み方向に延在する。当該コーディング用リブによって、第２固定要素が固定位置を占める場合に、誤接続を防止する。
【００２１】
ある実施形態によれば、第２固定要素を差し込み方向に対して垂直にガイドすることを目的とした少なくとも一つの横ガイド要素が、第２固定要素の少なくとも一方の側に備えられる。当該特徴を用いれば、第２固定要素が差し込み方向に対して垂直に移動された場合に、第２固定要素へのガイドが実現される。
【００２２】
これと対応するように、少なくとも一つの横ガイド用凹部が、横ガイド要素を受け付けるために、プラグインコネクタのメインボディの少なくとも一方の側に備えられている。当該ガイド要素に対して、少なくとも２つの横ガイド要素および二つの凹部が備えられることが好ましい。
【００２３】
特に幅の広いプラグインコネクタの例では、横ガイドに対して横ガイド要素および凹部がプラグインコネクタの両側に備えられている点で便利である。
【００２４】
他の実施形態によれば、プラグインコネクタのベース要素は、少なくとも一つの保持リブを備えており、第２固定要素の固定部は２点構造を有しており、保持リブに事前に固定されている前端部に爪部が備えられている。この特徴により、第２固定要素が固定位置以外で緩い状態であるが分離不能にプラグインコネクタベース要素と接続されることを確実にする。これにより、確実に第２固定要素を取り付ける前の本発明に係るプラグインコネクタの取り扱いが容易になる。
【００２５】
本発明に係るプラグインコネクタの他の実施形態によると、第１固定装置が備えられ、当該第１固定装置は、プラグインコネクタのメインボディに形成された第１固定凹部内へのばね式係合用のスナップイン式ばねを備える。第１固定装置を用いた当該実施形態は、先行技術における公知のプラグインコネクタの例で既にその価値が証明されている。
【発明を実施するための最良の形態】
【００２６】
図１は、本発明に係るプラグイン接続装置１０の非差し込み状態における断面斜視図である。図１において、プラグインコネクタ１１ａ及びこれに対応する第２プラグインコネクタ１１ｂが図示されている。
【００２７】
プラグインコネクタ１１ａは、プラグインコネクタのベース要素１２を備えている。プラグインコネクタのベース要素１２においては、第１固定要素に対して当接部１４を提供する第１固定凹部１３が備えられていることが好ましい。例えば、第１固定凹部１３はプラグインコネクタのベース要素１２の射出成形中に形成されてもよいし、スライス加工で形成されてもよい。
【００２８】
図１においては、コンタクト要素１６ａの一部が図示されており、コンタクト要素１６ａは既にプラグインコネクタのベース要素１２に配置されている。コンタクト要素１６ａはスナップイン式ばね１７に接続されている。コンタクト要素１６ａが取り付けられた状態では、スナップイン式ばね１７は、第１固定凹部１３にばね反力を伴って係合し、第１固定当接部１４においてコンタクト要素１６ａが差し込み方向１８に外れないように支持する。
【００２９】
図示された実施形態において、例えばコンタクト要素１６ａは、対応するコンタクト要素１６ｂと接触する複数コンタクト片として構成される。なお、コンタクト要素１６ｂは、対応する第２プラグインコネクタ１１ｂに配置されるマルチポイントプラグとして構成される。コンタクト要素１６ｂの後端部には、回路基板（詳細は図示せず）に半田付けが可能となるように配線終端用タブが備えられている。
【００３０】
コンタクト要素１６ａには、差し込み方向１８に対して垂直に形成された、少なくとも一つの第２固定凹部２１、２２を備えている。図示された実施形態では、２つの第１固定凹部２１、２２が示されている。
【００３１】
図１に図示された実施形態では、プラグインコネクタのベース要素１２が第２固定要素３０を備えた場合が図示されている。また、当該図において、第２固定要素３０が既にプラグインコネクタのベース要素１２と緩い状態で接続されている。第２固定要素３０は、少なくとも一つの固定部３１、３２を備えている。固定部３１、３２の最大数は、コンタクト要素１６ａに備えられた第２固定凹部２１、２２の数と一致する。
【００３２】
図示された実施形態において、少なくとも一つの固定部３１、３２は、２点構造を有しており、その前端部は爪部（図１では図示せず）を備えている。当該爪部は、図１に示された第２固定要素３０が事前に固定された状態で、プラグインコネクタのベースの要素１２に備えられた少なくとも一つの保持リブ３３、３４を抱持する。保持リブ３３、３４の数は、少なくとも既設の固定部３１、３２の数と一致する。これにより、第２固定要素３０はプラグインコネクタのベース要素１２と緩い状態で接続されているので、外れて紛失することはない。
【００３３】
上記の通り、少なくとも一つの固定部３１、３２が２点構造を有するのと同様に、少なくとも一つの第２固定凹部２１、２２の領域において、コンタクト要素１６ａが２点構造を有してもよい。これは、ばね要素が備えられる場合には、コンタクト要素１６ａの前端部が２点構造を有する必要があるからである。
【００３４】
差し込み方向１８から見ると、第２固定要素３０には、その前端部にコーディング面４０ａが備えられている。コーディング面４０ａは、第２プラグインコネクタ１１ｂに備えられたコーディング面４０ｂと対応して接触する。第２固定要素３０が固定位置以外の位置を占める場合、コネクタを差し込もうとすると、コーディング面４０ａ及び対応するコーディング面４０ｂが互いに当接し、差し込みが防止される。
【００３５】
第２固定要素３０は、プラグインコネクタ１１ａが第２プラグインコネクタ１１ｂに差し込み可能となる前に、図１に示された固定前の位置から固定位置に移動させられる必要がある。固定位置で第２固定要素３０を受け付けるためには、第２固定凹部５０をプラグインコネクタのベース要素１２に備えることが好ましい。第２固定凹部５０は、プラグインコネクタのベース要素１２の射出成形中に形成されてもよいし、スライス加工で形成されてもよい。
【００３６】
第２固定要素３０の差し込み方向１８に対する垂直方向の動作に対して第２固定要素３０をガイドするためには、図１に示された少なくとも一つの横ガイド要素６０、６１を備えることが好ましい。
【００３７】
第２固定要素３０は、差し込み方向１８に延在する少なくとも一つのコーディング用リブ７０を前端部に備えることが好ましい。第２固定要素３０が既に固定位置を占める場合、少なくとも一つのコーディング用リブ７０によって、すべての誤差し込みが防止される。
【００３８】
特にプラグインコネクタ１１ｂに対するプラグインコネクタ１１ａの誤方向の接続を防止するために、プラグインコネクタのベース要素１２に一体形成されるコーディング要素７１を必要に応じてさらに備えてもよい。コーディング要素７１は、第２プラグインコネクタ１６ｂのプラグインコネクタのベース要素７５に於ける少なくとも一つの凹部（図１では不指示）と接触する。
【００３９】
図２は、プラグイン接続装置１０の断面斜視図を示している。なお、図２において図１に示された部分と対応する部分については、同一の参照符号が付与されている。
【００４０】
図２は、プラグインコネクタ装置１０の断面斜視図である。図２では、プラグインコネクタのベース要素１２において、固定位置に位置する第２固定要素３０が示されている。少なくとも一つの横ガイド凹部８０、８１が、少なくとも一つの横ガイド要素６０、６１を差し込み方向１８に対して垂直にガイドするために、プラグインコネクタのベース要素１２に垂直に形成されている。
【００４１】
コンタクト要素１６ａは、クリンプにより接続配線９２を取り付けるための絶縁クリンプ用突起９１及び配線クリンプ用突起９０を後端部に備えている。
【００４２】
図３は、接続配線９２が取り付けられた本発明に係るプラグインコネクタ１１ａに関する断面斜視図である。なお、図３において図１、２に示された部分と一致する部分については同一の参照符号が付与される。
【００４３】
接続配線９２は、絶縁クリンプ用突起９１の領域で終端する絶縁部９３によって被覆される。接続配線９２の前端部において、配線９４は配線クリンプ用突起９０の領域でストリップ処理される。図３は、固定位置にある第２固定要素３０を示しており、少なくとも一つの固定部３１、３２が対応する第２固定凹部２１、２２に位置する状態が示されている。
【００４４】
図４は、プラグインコネクタ装置１０の底部に関する斜視図である。なお、図４において図１乃至３に示された部分と一致する部分については同一の参照符号が付与される。図４では、少なくとも一つの横ガイド要素６０、６１が少なくとも一つの横ガイド凹部８０、８１においてガイドされる方法をより明確に視認することができる。さらに、スナップイン式ばね１７を図４の第１固定凹部１３に於ける固定位置で視認することができる。
【００４５】
さらに図４では、第２固定要素３０が固定位置に達した場合、プラグインコネクタのベース要素１２に備えられた取り付け突出部９６の周囲にスナップ接続される第２固定要素３０に備えられた少なくとも一つの取り付けクランプ９５を示している。これにより、取り付け突出部９６を抱持し、第２固定要素３０をプラグインコネクタのベース要素１２に固定する。
【００４６】
図５は、差し込み状態でのプラグインコネクタ装置１０の断面斜視図である。なお、図５において、図１乃至４に示された部分と一致する部分については同一の参照符号が付与される。
【００４７】
図５は固定位置における第２固定要素３０を示しており、少なくとも一つの固定部３１、３２が対応する第２固定凹部２１、２２に位置していることが示されている。プラグインコネクタ１１ａを対応する第２プラグインコネクタ１１ｂに差し込み可能となるのは、図５に示された第２固定要素３０の固定位置においてのみである。
【００４８】
本発明に係る特定の実施形態が図面に示されており、ここでさらに詳細に説明する。
【図面の簡単な説明】
【００４９】
【図１】本発明に係るプラグインコネクタを備えたプラグイン接続装置に関する断面斜視図。
【図２】本発明に係るプラグインコネクタを備えたプラグイン接続装置の他方向から見た断面斜視図。
【図３】接続配線が取り付けられた本発明に係るプラグインコネクタに関する断面斜視図。
【図４】本発明に係るプラグインコネクタを備えたプラグイン接続装置を底部から見た斜視図。
【図５】本発明に係るプラグインコネクタを備えたプラグイン接続装置の差し込み状態に関する断面斜視図。
【図１】
2008016439.tif 000003
【図２】
2008016439.tif 000004
【図３】
2008016439.tif 000005
【図４】
2008016439.tif 000006
【図５】
2008016439.tif 000007